(57)【特許請求の範囲】
【請求項１】
タグ基材を有し、
無線によるデータ通信が可能なＲＦＩＤタグのＲＦＩＤアンテナであって、
前記ＲＦＩＤタグは、前記タグ基材に装備するとともに、ＩＣチップおよびＲＦＩＤアンテナを有して無線によるデータ通信が可能なＲＦＩＤインレットを有し、
前記ＲＦＩＤアンテナは、前記ＩＣチップに接続した共振アンテナ部と、この共振アンテナ部に電磁結合可能であるとともに前記ＩＣチップから離反した位置に設けたブースターアンテナ部と、を有し、
前記ブースターアンテナ部は、所定のアンテナパターンで前記タグ基材に固着し、布基材にメッキ、焼付け、蒸着およびスパッタリングのうち少なくとも１つの手法を用いて金属皮膜を形成した柔軟性がある導電布からなり、
前記ＲＦＩＤインレットは、前記共振アンテナ部および前記ＩＣチップを少なくとも表裏二面から保護する保護材を有し、
前記ＩＣチップ、前記共振アンテナ部および前記保護材を、前記ブースターアンテナ部とは別部材のインレットコア部として構成することを特徴とするＲＦＩＤタグのＲＦＩＤアンテナ。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）タグのＲＦＩＤアンテナにかかるもので、とくに衣服ないしはランドリー用品など各種の布製品その他の柔軟素材製品に取り付けても耐久性に優れたＲＦＩＤタグのＲＦＩＤアンテナに関するものである。
【背景技術】
【０００２】
従来から、ＩＣチップおよびＲＦＩＤアンテナを有して無線によりデータの書込みおよび読取りを行うことができるＲＦＩＤタグを各種物品に取り付け、これら物品ついての各種データの読み書きを行って、必要なデータ管理など諸々の分野に利用している。
【０００３】
図９は、従来から提案されているＲＦＩＤタグを、たとえばホテルや会社などにおいて使用後洗濯して再度使用する各種のシーツや寝間着さらには制服など各種のランドリー用品（洗濯用品、柔軟素材製品）に取り付けて利用するランドリー用ＲＦＩＤタグ１の一例を示す平面図、図１０は、ランドリー用ＲＦＩＤタグ１の断面図である。なお図１０において、ＲＦＩＤアンテナ５の部分についてはその形成路に沿った断面を示している。
ランドリー用ＲＦＩＤタグ１は、タグ基材２と、タグ基材２に装備したＲＦＩＤインレット３と、を有し、これをシート状の構成物として構成している。
【０００４】
タグ基材２は、たとえばポリエチレンテレフタレート（ＰＥＴ）ないしその積層フィルムなど必要な柔軟性および剛性を有する合成樹脂素材からこれをフィルム状に構成し、その表面にＲＦＩＤインレット３を設けている。
【０００５】
ＲＦＩＤインレット３は、ＩＣチップ４と、ＩＣチップ４に接続したＲＦＩＤアンテナ５と、ＩＣチップ４の保護材６と、を有する。
ＲＦＩＤインレット３は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、ＲＦＩＤアンテナ５を介してＩＣチップ４に必要なデータの無線による読み取りおよび書き込み（データ通信）を行う。
ただし、それぞれの使用電波に応じてＩＣチップ４およびＲＦＩＤアンテナ５の具体的構成を適正なものとしている。
とくにＵＨＦ帯（たとえば、８６０〜９６０ＭＨｚ）レベルの波長を有する電波を使用するものでは、その通信距離が通常は５〜１０ｍ程度であり、各種の分野における応用が期待されている。
【０００６】
保護材６は、これをガラスエポキシ樹脂など任意の硬質材から、図示（図９）の例では、円形のコイン状に構成し、ＩＣチップ４全体にかかる各種の外力からＩＣチップを保護可能である。
【０００７】
このようなランドリー用ＲＦＩＤタグ１において、とくにそのＲＦＩＤアンテナ５は、銅やアルミニウムなどによる極薄の金属箔をエッチング加工した金属膜や導電性インクから構成されており、断線しやすいという問題がある。ランドリー用品に取り付けられている場合には、その洗濯時の折曲がりやねじれなどのストレスによって厚さの薄いＲＦＩＤアンテナ５が断線しやすく、ランドリー用ＲＦＩＤタグ１自体の故障の原因になるという問題があるため、ＲＦＩＤアンテナ５には硬質の保護材６を被せたり、ポッティングする等、各種の追加工により補強処理が施される。保護材６により、ＩＣチップ４の破損や、ＩＣチップ４とＲＦＩＤアンテナ５の接合が外れる不具合の発生は解消される。
【０００８】
しかしながら、ランドリー用品としての使用時はもちろん、その回収および洗濯ならびにアイロン工程において、とくに図１０の点線で示すように、ランドリー用ＲＦＩＤタグ１全体が折り曲げられたり、捻られるなどするため、ＲＦＩＤアンテナ５と保護材６外周との交点５Ａにストレスが蓄積しやすく、上記補強処理が災いして交点５Ａの部分が破断してＲＦＩＤアンテナ５が損傷し、ランドリー用ＲＦＩＤタグ１としてのデータ通信機能が損なわれてしまうという問題がある。また、新品との交換にコストがかかるなどの諸問題がある。
【０００９】
さらに、ランドリー用ＲＦＩＤタグ１のデータ通信機能が失われる結果、ＩＣチップ４に記憶されていた個体ＩＤコードを読み取ることができず、あらかじめ視認可能に印字表記していたＩＤコード（図示せず）を読み取って、新しいランドリー用ＲＦＩＤタグ１のＩＣチップ４に書き換えるなどの手間が生ずるという問題がある。
【００１０】
なお、導電性を有する布などによりＲＦＩＤアンテナを形成すれば、外力に対する耐性を有するＲＦＩＤタグとすることができる可能性があるが、このＲＦＩＤアンテナにＩＣチップを直接接合させる技術には、百分の数ミリメートルのレベルのアンテナ形成技術が必要で、さらに、このようなＲＦＩＤアンテナにＩＣチップを導電接着するには、アンテナに高精度の平面性が必要であって、柔軟性および耐久性を兼ね備えたＲＦＩＤアンテナを有するＲＦＩＤタグを実現することが非常に困難であるという問題がある。
【先行技術文献】
【特許文献】
【００１１】
【特許文献１】特許第４５４８０７４号公報
【発明の概要】
【発明が解決しようとする課題】
【００１２】
本発明は以上のような諸問題にかんがみなされたもので、衣服やランドリー用品など各種の布製品あるいは軟質の合成樹脂材製品や皮革製品その他の柔軟素材製品に直接取り付けることができるＲＦＩＤタグのＲＦＩＤアンテナを提供することを課題とする。
【００１３】
また本発明は、柔軟性素材製品への取付けが容易なＲＦＩＤタグのＲＦＩＤアンテナを提供することを課題とする。
【００１４】
また本発明は、各種衣服やランドリー用品の使用時や洗濯時の折曲がりやねじれなどのストレスに耐性があるＲＦＩＤタグのＲＦＩＤアンテナを提供することを課題とする。
【００１５】
また本発明は、断線しにくく、たとえ断線してもデータ通信機能が残存するＲＦＩＤタグのＲＦＩＤアンテナを提供することを課題とする。
【００１６】
また本発明は、各種の衣服やランドリー用品などに取り付けても耐久性に優れたＲＦＩＤタグのＲＦＩＤアンテナを提供することを課題とする。
【００１７】
また本発明は、材料原価の低廉化および加工性の向上、さらには量産性の向上を実現可能なＲＦＩＤタグのＲＦＩＤアンテナを提供することを課題とする。
【課題を解決するための手段】
【００１８】
すなわち本発明は、ＲＦＩＤアンテナを導電布により構成することに着目したもので、タグ基材を有し、無線によるデータ通信が可能なＲＦＩＤタグのＲＦＩＤアンテナであって、当該ＲＦＩＤアンテナは、所定のアンテナパターンで上記タグ基材に固着した導電布からこれを構成したことを特徴とするＲＦＩＤタグのＲＦＩＤアンテナである。
【００１９】
上記ＲＦＩＤタグは、上記タグ基材に装備するとともにＩＣチップおよびＲＦＩＤアンテナを有して無線によるデータ通信が可能なＲＦＩＤインレットを有し、上記ＲＦＩＤアンテナは、上記ＩＣチップに接続した共振アンテナ部と、この共振アンテナ部に電磁結合可能であるとともに上記ＩＣチップから離反した位置に設けたブースターアンテナ部と、を有することができる。
【００２０】
上記ブースターアンテナ部は、これを上記導電布から構成することができる。
【００２１】
上記ＲＦＩＤインレットは、上記共振アンテナ部および上記ＩＣチップを保護する保護材を有することができる。
【００２２】
上記保護材は、これをガラスエポキシ樹脂から構成することができる。
【００２３】
上記ＩＣチップ、上記共振アンテナ部および上記保護材を、上記ブースターアンテナ部とは別部材のインレットコア部として構成することができる。
【００２４】
上記当該ＲＦＩＤタグは、各種の衣服やランドリー用品（洗濯用品）などの柔軟素材製品に取り付けて利用することができるが、その一般の各種製品や部品などに取り付けて、そのデータ管理用として活用することができる。
【発明の効果】
【００２５】
本発明によるＲＦＩＤタグのＲＦＩＤアンテナにおいては、耐久性および柔軟性がある導電布からＲＦＩＤアンテナを構成することとしたので、ねじれその他の外力がかかっても、ＲＦＩＤアンテナに発生しやすい損傷を回避し、とくに衣服やランドリー用品などの柔軟素材製品に取り付けた場合であっても、耐久性良好にデータ通信機能の維持を図ることができる。
【図面の簡単な説明】
【００２６】
【図１】本発明の実施例によるＲＦＩＤアンテナ１２を用いて構成する第１の例のＲＦＩＤタグ１０の平面図である。
【図２】同、ＲＦＩＤタグ１０の断面図である。
【図３】同、導電布１７の一部を示す拡大斜視図である。
【図４】本発明によるＲＦＩＤアンテナ１２（とくにブースターアンテナ部１５）を用いた第２の例のＲＦＩＤタグ３０の説明図であって、図４（１）は、ＲＦＩＤタグ３０の前駆積層体３０Ａの断面図、図４（２）は、ＲＦＩＤタグ３０の断面図である。
【図５】本発明によるＲＦＩＤアンテナ１２（とくにブースターアンテナ部１５）を用いた第３の例のＲＦＩＤタグ４０の説明図であって、図５（１）は、ＲＦＩＤタグ４０の前駆積層体４０Ａの断面図、図５（２）は、ＲＦＩＤタグ４０の断面図である。
【図６】本発明によるＲＦＩＤアンテナ１２（共振アンテナ部１４、ブースターアンテナ部１５）を用いた第４の例のＲＦＩＤタグ５０の平面図である。
【図７】同、ＲＦＩＤタグ５０の断面図である。
【図８】本発明によるＲＦＩＤアンテナ１２（とくにブースターアンテナ部１５）を用いた第５の例のＲＦＩＤタグ６０の説明図であって、図８（１）は、ＲＦＩＤタグ６０の前駆積層体６０Ａの断面図、図８（２）は、ＲＦＩＤタグ６０の断面図である。
【図９】従来から提案されているＲＦＩＤタグを、たとえばホテルや会社などにおいて使用後洗濯して再度使用する各種のシーツや寝間着さらには制服など各種のランドリー用品（洗濯用品、柔軟素材製品）に取り付けて利用するランドリー用ＲＦＩＤタグ１の一例を示す平面図である。
【図１０】同、ランドリー用ＲＦＩＤタグ１の断面図である。
【発明を実施するための形態】
【００２７】
本発明は、所定のアンテナパターンでタグ基材に固着した導電布から構成したので、ねじれその他の外力がかかりやすい布材や皮革材などの柔軟素材製品に取り付けても耐久性があり、必要なデータ管理を行うことができるＲＦＩＤタグのＲＦＩＤアンテナを実現した。
【実施例】
【００２８】
つぎに本発明の実施例によるＲＦＩＤアンテナ１２およびこれを用いて構成する第１の例のＲＦＩＤタグ１０について図１ないし図３にもとづき説明する。ただし、図９および図１０と同様の部分には同一符号を付し、その詳述はこれを省略する。
図１は、ＲＦＩＤタグ１０の平面図、図２は、ＲＦＩＤタグ１０の断面図である。なお図２において、ブースターアンテナ部１５の部分についてはその形成路に沿った断面を示している。
ＲＦＩＤタグ１０は、前記タグ基材２と、タグ基材２に装備したＲＦＩＤインレット１１と、を有する。
【００２９】
タグ基材２は、各種の衣服やランドリー用品などの柔軟素材製品に取り付け可能であるが、必要に応じて任意の素材の製品に取り付け可能とすることができる。
【００３０】
ＲＦＩＤインレット１１は、前記ＩＣチップ４と、ＲＦＩＤアンテナ１２と、保護材１３と、を有し、無線によるデータ通信が可能である。
【００３１】
ＲＦＩＤアンテナ１２は、共振アンテナ部１４と、ブースターアンテナ部１５と、からこれを構成する。
共振アンテナ部１４は、図示の例では、これを円形の金属箔ないしは金属膜から構成するとともに、ＩＣチップ４に直接接続している。
ブースターアンテナ部１５は、この共振アンテナ部１４に電磁結合（電波結合）可能であり、共振アンテナ部１４は、ブースターアンテナ部１５の中央部にこれを重ねて取り付ける。
【００３２】
保護材１３は、ＲＦＩＤタグ１０への外力から共振アンテナ部１４およびＩＣチップ４を保護するもので、たとえば、これをガラスエポキシ樹脂その他の硬質材料から構成する。
この保護材１３、ＩＣチップ４および共振アンテナ部１４からなるインレットコア部１６をブースターアンテナ部１５とは別部材として構成するもので、インレットコア部１６は外力による屈曲に対する耐性を保有することができる。
【００３３】
共振アンテナ部１４は、上述のように、金属箔ないしは金属膜その他任意の導電性材料によりこれを構成可能である。なお、以下に記すブースターアンテナ部１５と同様に、共振アンテナ部１４についても、これを導電布１７（図３）から構成することもできる。
【００３４】
上記ＲＦＩＤアンテナ１２の一部としてのブースターアンテナ部１５は、これを導電布１７から構成している。
図３は、導電布１７の一部を示す拡大斜視図であって、任意の布基材１８上に、メッキあるいは焼付け、蒸着、スパッタリングなどの手法により、銅あるいはニッケルなどの金属による金属被膜１９を形成したものである。金属皮膜１９は、布基材１８の両面にこれを形成しても良い。布基材１８を構成する繊維の表面全体に金属皮膜１９を形成しても良い。
ブースターアンテナ部１５としては、刃型プレスあるいはレーザー照射など任意の切断手法により導電布１７を所定のアンテナパターンに加工することができ、所定の柔軟性があるので、折り曲げやねじれなどの外力に対する耐性を有する。もちろん、布材としての軽さおよび薄さを有し、耐屈曲性が高く、装着時のフィット性は良好である。
この導電布１７から構成したブースターアンテナ部１５をタグ基材２の一面（たとえば表面）に接着剤などにより固着する。または、導電布１７をタグ基材２に仮着した状態でアンテナパターンに加工したのち、固着してもよい。
【００３５】
とくに図２に示すように、ブースターアンテナ部１５のほぼ中央部に、インレットコア部１６（共振アンテナ部１４およびＩＣチップ４）をその厚さ方向に重ね合わせて、接着剤その他任意の手段により互いに一体化している。
したがって、ＩＣチップ４自体とブースターアンテナ部１５とを直接接続する必要はなく、ＲＦＩＤタグ１０を容易かつ低コストで製造可能である。
【００３６】
こうした構成のＲＦＩＤタグ１０およびＲＦＩＤアンテナ１２（共振アンテナ部１４、ブースターアンテナ部１５）においては、共振アンテナ部１４およびＩＣチップ４がインレットコア部１６として保護材１３により保護されているとともに、ブースターアンテナ部１５が柔軟性のある導電布１７により形成されているので、ＲＦＩＤタグ１０ないしタグ基材２やブースターアンテナ部１５自体に外力がかかってねじれや歪みが生じたとしても、これらが損傷することなく、ＲＦＩＤアンテナ１２全体としてのデータ通信機能を維持することができる。
すなわち、データ通信用のリーダーライター（図示せず）からの通信電波を共振アンテナ部１４が共振して受信し、起電力を得てＩＣチップ４を発動させ、さらに、共振アンテナ部１４に電磁結合可能なブースターアンテナ部１５が受信電波を増幅可能であり、ＲＦＩＤタグ１０としてのデータ通信を可能とする。
とくに、前記ＵＨＦ帯（たとえば、８６０〜９６０ＭＨｚ）レベルの波長を有する電波を用いれば、比較的長距離のデータ通信が可能となる。
なお、万が一、外部アンテナであるブースターアンテナ部１５が破損しても、内方部のインレットコア部１６（共振アンテナ部１４）による近傍データ通信が可能である。
【００３７】
かくして、衣服やランドリー用品などの洗濯工程およびその付属工程における各種の処理に極めて高い耐久性を有するＲＦＩＤタグ１０およびＲＦＩＤアンテナ１２とすることができるとともに、ブースターアンテナ部１５は布製のため洗濯工程にもきわめて強く、ブースターアンテナ部１５への余計な補強材料や追加工などを必要としないため、ＲＦＩＤタグ１０の厚さを極薄化可能であって、衣服等への装着時の異物感を軽減させ、また、低コストでの製造が可能である。
【００３８】
つぎに、本発明によるＲＦＩＤアンテナ１２（共振アンテナ部１４、ブースターアンテナ部１５）を用いたＲＦＩＤタグにおいては、インレットコア部１６およびブースターアンテナ部１５を保護膜あるいは保護層により被覆することにより、外力に対してさらに耐性を強化することができる。
すなわち、図４は、本発明によるＲＦＩＤアンテナ１２（とくにブースターアンテナ部１５）を用いた第２の例のＲＦＩＤタグ３０の説明図であって、図４（１）は、ＲＦＩＤタグ３０の前駆積層体３０Ａの断面図、図４（２）は、ＲＦＩＤタグ３０の断面図である。
【００３９】
図４（１）に示すように、前駆積層体３０Ａとして、ポリエステル布やＰＥＴなどの樹脂フィルムによる前記タグ基材２と、タグ基材２の表面に塗工したホットメルト接着剤層３１と、上述したブースターアンテナ部１５およびインレットコア部１６（保護材１３、ＩＣチップ４および共振アンテナ部１４）と、を準備する。
ホットメルト接着剤は、たとえば、エチレン酢酸ビニル樹脂やポリオレフィン樹脂を主成分とし、室温では固形状で、加熱により溶融し、熱可塑性を有する接着剤である。
【００４０】
図４（２）に示すように、前駆積層体３０Ａの上下層から所定の温度および圧力により熱プレスして、ＲＦＩＤタグ３０とする。
すなわち、加熱により溶融したホットメルト接着剤層３１内にブースターアンテナ部１５およびインレットコア部１６が埋没することにより、ブースターアンテナ部１５およびインレットコア部１６をホットメルト接着剤層３１がその表裏面を被覆することとなり、全体を保護することができる。
【００４１】
こうした構成のＲＦＩＤタグ３０において、インレットコア部１６ないしＲＦＩＤインレット１１は、接着剤（ホットメルト接着剤層３１）によりこれを被覆可能であるとともに、タグ基材２にこれを固着可能とし、ないしは、タグ基材２にこれを一体化して、より耐久性がすぐれたものとすることができる。
さらに、インレットコア部１６およびブースターアンテナ部１５がホットメルト接着剤層３１により被覆されているので、ＲＦＩＤタグ３０として、単葉の構成とするか、あるいは帯状の台紙（図示せず）などにその複数枚を仮着した帯状のＲＦＩＤタグ連続体として、任意のプリンター（たとえばサーマルプリンターなど、図示せず）に装填可能とし、タグ基材２（あるいはホットメルト接着剤層３１に貼り付けた任意のラベル片３２）に任意の可変情報を必要に応じて効率よく印字することができる。
【００４２】
また本発明によるＲＦＩＤアンテナ１２（共振アンテナ部１４、ブースターアンテナ部１５）を用いたＲＦＩＤタグによれば、ＲＦＩＤタグの表裏面のいずれか一方にホットメルト接着剤層３１を積層し、また、ＲＦＩＤインレット１１の表裏面のいずれか一方は、合成樹脂フィルムによりこれを被覆することができる。
たとえば、図５は、本発明によるＲＦＩＤアンテナ１２（とくにブースターアンテナ部１５）を用いた第３の例のＲＦＩＤタグ４０の説明図であって、図５（１）は、ＲＦＩＤタグ４０の前駆積層体４０Ａの断面図、図５（２）は、ＲＦＩＤタグ４０の断面図である。
【００４３】
図５（１）に示すように、前駆積層体４０Ａとして、ポリエステル布やＰＥＴなどの樹脂フィルムによる前記タグ基材２と、タグ基材２の表面に塗工したホットメルト接着剤層３１と、上述したブースターアンテナ部１５およびインレットコア部１６と、ポリエステル布やＰＥＴなどの樹脂フィルムによる被覆用基材４１と、被覆用基材４１の表面に塗工した貼付け用ホットメルト剤層４２と、を準備する。
【００４４】
図５（２）に示すように、前駆積層体４０Ａの上下層から所定の温度および圧力により熱プレスして、ＲＦＩＤタグ４０とする。
すなわち、加熱により溶融したホットメルト接着剤層３１内にブースターアンテナ部１５およびインレットコア部１６が埋没することにより、ブースターアンテナ部１５およびインレットコア部１６をホットメルト接着剤層３１がその表裏面を被覆することとなり、全体を保護することができる。
さらに、ホットメルト接着剤層３１に被覆用基材４１および貼付け用ホットメルト剤層４２を積層することができ、ＲＦＩＤタグ４０を衣服やランドリー用品その他任意の製品Ｍに貼り付ける際に、貼付け用ホットメルト剤層４２を再度加熱することにより接着可能とする。
【００４５】
こうした構成のＲＦＩＤタグ４０において、インレットコア部１６ないしＲＦＩＤインレット１１は、接着剤（ホットメルト接着剤層３１）によりこれを被覆可能であるとともに、タグ基材２にこれを固着可能とし、ないしは、タグ基材２にこれを一体化して、より耐久性がすぐれたものとすることができ、さらに、貼付け用ホットメルト剤層４２の部分により製品ＭにＲＦＩＤタグ４０を貼り付け固定することができる。
【００４６】
つぎにまた、本発明によるＲＦＩＤアンテナ１２（共振アンテナ部１４、ブースターアンテナ部１５）を用いたＲＦＩＤタグにおいては、ブースターアンテナ部１５と前記インレットコア部１６（保護材１３、ＩＣチップ４および共振アンテナ部１４）との相対的位置を、上述のＲＦＩＤタグ３０（図４）およびＲＦＩＤタグ４０（図５）とは異なったものに変更することもできる。
【００４７】
たとえば、図６は、本発明によるＲＦＩＤアンテナ１２（共振アンテナ部１４、ブースターアンテナ部１５）を用いた第４の例のＲＦＩＤタグ５０の平面図、図７は、ＲＦＩＤタグ５０の断面図である。なお図７において、ブースターアンテナ部１５の部分についてはその形成路に沿った断面を示している。
ＲＦＩＤタグ５０は、前記タグ基材２と、前記ＲＦＩＤインレット１１と、を有し、ＲＦＩＤインレット１１は、既述のように、前記ＩＣチップ４、ＲＦＩＤアンテナ１２および保護材１３を有し、無線によるデータ通信が可能である。
【００４８】
ただし、ＲＦＩＤアンテナ１２のブースターアンテナ部１５は、既述したようにこれを導電布１７（図３）から所定のアンテナパターンで形成するとともに、共振アンテナ部１４（より正確には、保護材１３の外周部）からわずかな間隙Ｇだけ分離している。
この間隙Ｇとしては、共振アンテナ部１４およびブースターアンテナ部１５が互いに電磁結合可能であるとともに、ＲＦＩＤタグ５０全体にかかる外力による歪みに対して、保護材１３とブースターアンテナ部１５との間で機械的な干渉を起こさない範囲のものが望ましい。
【００４９】
とくに図７に示すように、ブースターアンテナ部１５のほぼ中央部に、インレットコア部１６（共振アンテナ部１４およびＩＣチップ４）を位置して互いの間に間隙Ｇをあけた状態で、接着剤その他任意の手段により互いに一体化している。
したがって、ＲＦＩＤタグ３０（図４）およびＲＦＩＤタグ４０（図５）と同様に（従来のＲＦＩＤタグ１（図９）とは異なって）、ＩＣチップ４自体とブースターアンテナ部１５との間の接続構成を省略して容易かつ低コストでの製造が可能である。
【００５０】
こうした構成のＲＦＩＤタグ５０においては、共振アンテナ部１４およびＩＣチップ４がインレットコア部１６として保護材１３により保護されているとともに、インレットコア部１６（共振アンテナ部１４）とブースターアンテナ部１５との間にわずかな間隙Ｇが形成されているので、ＲＦＩＤタグ５０ないしタグ基材２やブースターアンテナ部１５自体に外力がかかってねじれや歪みが生じたとしても、これらが損傷することなく、ＲＦＩＤアンテナ１２全体としてのデータ通信機能を維持することができる。
【００５１】
かくして、衣服やランドリー用品などの洗濯工程およびその付属工程における各種の処理に極めて高い耐久性を有するＲＦＩＤタグ５０とすることができるとともに、ブースターアンテナ部１５は布製のため洗濯工程にもきわめて強く、ブースターアンテナ部１５への余計や補強材料や追加工などを必要としないため、ＲＦＩＤタグ５０の厚さを極薄化可能であって、衣服等への装着時の異物感を軽減させ、また、低コストでの製造が可能である。
【００５２】
本発明ＲＦＩＤアンテナ１２（共振アンテナ部１４、ブースターアンテナ部１５）を用いたＲＦＩＤタグにおいては、インレットコア部１６およびブースターアンテナ部１５を保護膜あるいは保護層により被覆することにより、外力に対してさらに耐性を強化することができる。
すなわち、図８は、本発明によるＲＦＩＤアンテナ１２（とくにブースターアンテナ部１５）を用いた第５の例のＲＦＩＤタグ６０の説明図であって、図８（１）は、ＲＦＩＤタグ６０の前駆積層体６０Ａの断面図、図８（２）は、ＲＦＩＤタグ６０の断面図である。
【００５３】
図８（１）に示すように、前駆積層体６０Ａとして、ポリエステル布やＰＥＴなどの樹脂フィルムによる前記タグ基材２と、タグ基材２の表面に塗工した前記ホットメルト接着剤層３１（図４を参照）と、上述したブースターアンテナ部１５およびインレットコア部１６（保護材１３、ＩＣチップ４および共振アンテナ部１４）と、を準備する。
【００５４】
図８（２）に示すように、前駆積層体６０Ａの上下層から所定の温度および圧力により熱プレスして、ＲＦＩＤタグ６０とする。
すなわち、加熱により溶融したホットメルト接着剤層３１内にブースターアンテナ部１５およびインレットコア部１６が埋没することにより、ブースターアンテナ部１５およびインレットコア部１６をホットメルト接着剤層３１がその表裏面を被覆することとなり、全体を保護することができる。
【００５５】
こうした構成のＲＦＩＤタグ６０において、インレットコア部１６ないしＲＦＩＤインレット１１は、接着剤（ホットメルト接着剤層３１）によりこれを被覆可能であるとともに、タグ基材２にこれを固着可能とし、ないしは、タグ基材２にこれを一体化して、より耐久性がすぐれたものとすることができる。
さらに、インレットコア部１６およびブースターアンテナ部１５がホットメルト接着剤層３１により被覆されているので、ＲＦＩＤタグ６０として、単葉の構成とするか、あるいは帯状の台紙（図示せず）などにその複数枚を仮着した帯状のＲＦＩＤタグ連続体として、任意のプリンター（たとえばサーマルプリンターなど、図示せず）に装填可能とし、タグ基材２（あるいはホットメルト接着剤層３１に貼り付けた任意のラベル片３２）に任意の可変情報を必要に応じて効率よく印字することができる。
【００５６】
なお、図６および図７に示したようなＲＦＩＤタグ５０について、図５に示したＲＦＩＤ４０のように、ホットメルト接着剤層３１と、被覆用基材４１と、被覆用基材４１の表面に塗工した貼付け用ホットメルト剤層４２と、を準備して、インレットコア部１６ないしＲＦＩＤインレット１１は、接着剤（ホットメルト接着剤層３１）によりこれを被覆可能であるとともに、タグ基材２にこれを固着可能とし、ないしは、タグ基材２にこれを一体化して、より耐久性がすぐれたものとすることができる。
【００５７】
また、インレットコア部１６とブースターアンテナ部１５とを互いに別部材として構成したので、上述のＲＦＩＤタグ３０（図４）、ＲＦＩＤタグ４０（図５）、ＲＦＩＤタグ５０（図６）、さらにはＲＦＩＤタグ６０（図８）のように、各種の用途に応じたＲＦＩＤタグを容易に設計および製造することができる。
【符号の説明】
【００５８】
１  ランドリー用ＲＦＩＤタグ（従来、図９）
２  タグ基材
３  ＲＦＩＤインレット
４  ＩＣチップ
５  ＲＦＩＤアンテナ
５Ａ  ＲＦＩＤアンテナ５と保護材６外周との交点
６  保護材
１０  ＲＦＩＤアンテナ１２を用いたＲＦＩＤタグ（第１の例、図１）
１１  ＲＦＩＤインレット
１２  ＲＦＩＤアンテナ（実施例、図１）
１３  保護材
１４  共振アンテナ部
１５  ブースターアンテナ部（実施例、図１）
１６  インレットコア部
１７  導電布（図３）
１８  布基材
１９  金属皮膜
３０  ＲＦＩＤアンテナ１２を用いたＲＦＩＤタグ（第２の例、図４）
３０Ａ  ＲＦＩＤタグ３０の前駆積層体
３１  ホットメルト接着剤層
３２  ラベル片
４０  ＲＦＩＤアンテナ１２を用いたＲＦＩＤタグ（第３の例、図５）
４０Ａ  ＲＦＩＤタグ４０の前駆積層体
４１  被覆用基材
４２  貼付け用ホットメルト剤層
５０  ＲＦＩＤアンテナ１２を用いたＲＦＩＤタグ（第４の例、図６）
６０  ＲＦＩＤアンテナ１２を用いたＲＦＩＤタグ（第５の例、図８）
Ｍ    衣服やランドリー用品その他任意の製品（図５）
【図１】
0005939832.tif 000002
【図２】
0005939832.tif 000003
【図３】
0005939832.tif 000004
【図４】
0005939832.tif 000005
【図５】
0005939832.tif 000006
【図６】
0005939832.tif 000007
【図７】
0005939832.tif 000008
【図８】
0005939832.tif 000009
【図９】
0005939832.tif 000010
【図１０】
0005939832.tif 000011